(57)【要約】【課題】起動時の待ち時間を低減可能な記録方法およびその記録が可能な撮像装置を提供する。【解決手段】この発明の撮像装置１は、起動されるまでに所定時間を必要とする記録媒体１０５と、システムプログラムのみ起動された時点でデータが記録可能で、取り外し可能な記録媒体１０６と、記録すべき画像信号を生成する画像処理部１０２，１０３と、画像処理部により生成された画像信号を、記録媒体が起動動作中である場合に、取り外し可能な記録媒体に記録させる切り替え制御部１１１と、を有し、シャッターチャンスを損なうことなく、主電源オンから僅かな時間で情報を記録できる。【選択図】  図２
2006287275.tif 000002
【特許請求の範囲】
【請求項１】
データを記録可能な状態に起動されるまでに所定時間を必要とする主記録媒体と、
システムプログラムのみ起動された時点でデータが記録可能な付随する記録媒体と、
画像信号を生成する画像処理部と、
前記画像処理部により生成された前記画像信号を、前記主記録媒体が起動動作中である場合に、前記付随する記録媒体に記録させる記録媒体切り替え部と、
を有することを特徴とする撮影装置。
【請求項２】
前記記録媒体切り替え部に、前記記録媒体の切り替えを指示する信号入力部をさらに有することを特徴とする請求項１記載の撮影装置。
【請求項３】
前記信号入力部により前記切り替えられる前記付随する記録媒体はＲＡＭであり、前記主記録媒体の前記起動動作が終了した時点で前記ＲＡＭに記録された前記画像信号が前記主記録媒体に移動されることを特徴とする請求項２記載の撮影装置。
【請求項４】
前記信号入力部により前記切り替えられる前記付随する記録媒体は着脱可能な半導体メモリであり、前記主記録媒体の前記起動動作が終了した時点で前記半導体メモリに記録された前記画像信号が前記主記録媒体に移動されることを特徴とする請求項２記載の撮影装置。
【請求項５】
前記画像処理部により生成された前記画像信号を、前記主記録媒体が起動動作中である場合にかかわらず前記システムプログラムのみ起動された時点で表示可能な画像表示部をさらに有することを特徴とする請求項１記載の撮影装置。
【請求項６】
前記記録媒体切り替え部に、前記記録媒体の切り替えを指示する信号入力部をさらに有することを特徴とする請求項５記載の撮影装置。
【請求項７】
前記信号入力部により前記切り替えられる前記付随する記録媒体はＲＡＭであり、前記主記録媒体の前記起動動作が終了した時点で前記ＲＡＭに記録された前記画像信号が前記主記録媒体に移動されることを特徴とする請求項６記載の撮影装置。
【請求項８】
前記信号入力部により前記切り替えられる前記付随する記録媒体は着脱可能な半導体メモリであり、前記主記録媒体の前記起動動作が終了した時点で前記半導体メモリに記録された前記画像信号が前記主記録媒体に移動されることを特徴とする請求項６記載の撮影装置。
【請求項９】
記録すべき情報を取り込むレンズと、
このレンズにより取り込まれた情報に対応する信号を生成する画像信号生成部と、
起動時間を必要とするものの容量が大きく、前記画像信号生成部により生成された画像信号を記録する主記録媒体と、
システムプログラムのみ起動された時点で前記画像信号が記録可能な付随する記録媒体と、
前記画像信号生成部で生成された前記画像信号に対応する画像を表示する表示装置と、
この表示装置に、前記画像信号を表示可能に処理して供給する画像表示制御部と、
前記画像信号生成部により生成された前記画像信号を、前記主記録媒体が起動動作中である場合に、前記付随する記録媒体に記録させる記録媒体切り替え部と、
を有することを特徴とする撮像装置。
【請求項１０】
前記記録媒体切り替え部は、前記主記録媒体の前記起動動作中に、前記表示装置に前記画像信号に対応する画像を表示させることを特徴とする請求項９記載の撮影装置。
【請求項１１】
主電源が投入された時点でシステムプログラムを起動し、
システムプログラムを起動した時点でデータが記録可能な第１の記録媒体にデータを記録し、
データを記録可能な状態に起動されるまでに所定時間を必要とする第２の記録媒体の起動が終了した時点で第１の記録媒体に記録されているデータを第２の記録媒体に転送し、
引き続き供給されるデータを第２の記録媒体で記録する
ことを特徴とするデータ記録方法。
【発明の詳細な説明】
【技術分野】
【０００１】
この発明は、電子カメラ装置等の撮像装置及びその操作案内方法に関するものであり、特に起動時の待ち時間を低減可能な記録方法およびその記録が可能な撮像装置に関する。
【背景技術】
【０００２】
電子カメラ装置は、半導体メモリ（メモリカード）やハードディスク装置等の記録媒体に、静止画や動画を記録可能である。近年、ハードディスク装置の小型化および大容量化に伴い、多くの枚数の記録画像（静止画）や、長時間、かつ多くのタイトルの動画が記録（保存）可能である。
【０００３】
なお、ハードディスク装置が組み込まれることで、記録画像（静止画）や動画（タイトル）が記録（保存）可能な容量は、数１００〜数１０００にも及ぶものが既に提案されているが、起動時のシステムチェックあるいはハードディスク装置の起動に要求される時間が、シャッターチャンスを損なうには十分な（無視できない）長さ（数秒程度）に達することが知られている。
【０００４】
このため、デジタルカメラにおいて、起動プログラムのみをバッファメモリに読み込んで起動させ、引き続いてメモリカード等の情報をチェックする提案がある（例えば、特許文献１）。
【０００５】
また、デジタルカメラの起動方法として、起動プログラムで起動させた後、動作モードに応じ、その動作モードに必要なプログラムを読み込む２段階のプログラムの実行が提案されている（例えば、特許文献２）。
【特許文献１】特開２００３−１８９１６５公報
【特許文献２】特開２００１−２０９５４５公報
【発明の開示】
【発明が解決しようとする課題】
【０００６】
しかしながら、特許文献１および２のいずれに記載された提案には、システムの起動に要求される時間を低減する方法が示されているのみで、ハードディスク装置等の大容量の記録媒体を有する撮像装置において、静止画や動画が記録可能になるまでの待ち時間に関する記載は、みあたらない。特に、記録媒体としてハードディスク装置等を用いる場合において、その装置が起動されるまでの間の待ち時間に関する提案は、みあたらない。
【０００７】
本発明の目的は、起動時の待ち時間を低減可能な記録方法およびその記録が可能な撮像装置を提供することである。
【課題を解決するための手段】
【０００８】
この発明は、上記問題点に基づきなされたもので、データを記録可能な状態に起動されるまでに所定時間を必要とする主記録媒体と、システムプログラムのみ起動された時点でデータが記録可能な付随する記録媒体と、画像信号を生成する画像処理部と、前記画像処理部により生成された前記画像信号を、前記主記録媒体が起動動作中である場合に、前記付随する記録媒体に記録させる記録媒体切り替え部と、を有することを特徴とする撮影装置、を提供するものである。
【発明の効果】
【０００９】
本発明によれば、電源を入れた時に、主記録媒体への記録が可能になるまでの間、付随する取り出し可能な記録媒体に情報が記録されることから、シャッターチャンスを損なう虞が低減される。また、主記録媒体への記録が可能になるまでの間、撮影画像を表示することにより、操作性（軽快な動作）が提供される。
【発明を実施するための最良の形態】
【００１０】
以下、図面を参照して、この発明の実施の形態について詳細に説明する。
【００１１】
図１（ａ）および図１（ｂ）は、本発明が適用可能な動画および静止画ならびに音声等が記録可能な電子カメラ装置の概略を示す。
【００１２】
図１（ａ）は、電子カメラ装置（撮影装置）１を撮影レンズ側から見た状態を示す。
【００１３】
電子カメラ装置１は、撮像レンズ１１、フラッシュ１２、（静止画撮影用）シャッターボタン１３およびリモコン受信部１４等を有する。電子カメラ装置１はまた、パーソナルコンピュータや、外部電源装置（充電器）等との接続に利用されるアダプタ接続部（接続端子）１５を有する。
【００１４】
図１（ｂ）は、電子カメラ装置１を、撮像レンズ１１と逆の側から見た状態を示す。
【００１５】
電子カメラ装置１はまた、主電源スイッチを兼ねるフレーム２１に一体に組み込まれた液晶モニタ（ＬＣＤパネル）２２およびスピーカ２３を有する。電子カメラ装置１はさらに、フレーム２１が閉じられる（電子カメラ装置本体の所定の位置に収容される）位置でオフされる所定の位置に、主電源スイッチ２４を有する。
【００１６】
また、電子カメラ装置１の所定の位置には、動画の記録（録画）の開始および停止（終了）の指示（制御コマンド）を入力可能な録画ボタン２５、動作モードやさまざまな条件の入力および決定の指示を選択する指示（制御コマンド）を入力可能なジョグ（ＪＯＧ）ダイアル２６、ジョグダイアル２６により選択（ガイド）される指示を確定（実行）するための指示（制御コマンド）を入力可能な決定（ＯＫ）ボタン２７等が設けられている。なお、ＯＫ（決定）ボタン２７は、例えばジョグダイアル２６の回転中心に同軸（同心）状に位置される。
【００１７】
図２は、図１に概要を示した電子カメラ装置１の制御ブロックの一例を説明する概略図である。
【００１８】
撮像レンズ１１から取り込まれた被写体像は、例えばＣＣＤセンサである撮像素子３１の結像面に結像され、アナログ信号（撮像画像データ）に変換される。
【００１９】
ＣＣＤセンサ３１からのアナログ信号（撮像画像データ）は、ＣＰＵ（主制御回路）１１１により制御されるアナログ−デジタル（Ａ／Ｄ）変換部１０１によりデジタル信号に変換され、カメラ信号処理回路１０２に入力される。
【００２０】
カメラ信号処理回路１０２では、Ａ／Ｄ変換部１０１によりデジタル信号に変換された撮像画像データに、例えばガンマ補正、色信号分離、あるいはホワイトバランス調整等の処理が施される。
【００２１】
カメラ信号処理回路１０２から出力された撮像画像データ、すなわち撮像レンズ１１により取り込まれた記録対象である画像は、ビデオデコーダ（Video Decoder）１０７を介して液晶パネル駆動回路（LCD Driver）１０８に入力され、液晶パネル駆動回路１０８により、フレーム２１にマウントされているＬＣＤパネル（以下単にＬＣＤと呼称する）２２（図１（ｂ）参照）に、表示される。
【００２２】
カメラ信号処理回路１０２から出力された撮像画像データは、記録時においては、圧縮／伸長部１０３で圧縮された後、メモリ回路１０４を通じて、主記録媒体、例えばハードディスク装置（以下ＨＤＤと略称する）１０５または付随する取り出し可能な記録媒体、例えば不揮発性メモリであるメモリカード１０６に記録される。
【００２３】
なお、圧縮／伸長部１０３においては、静止画は、例えばＪＰＥＧ規格等の、動画（非静止画）は、ＭＰＥＧ規格等の、周知の圧縮方式により圧縮される。また、メモリカード１０６は、例えばＳＤカード（登録商標）や、mini−ＳＤ（登録商標）と呼ばれる半導体メモリが利用可能である。
【００２４】
ＨＤＤ１０５またはメモリカード１０６に既に記録されている画像を再生する際には、ＨＤＤ１０５あるいはメモリカード１０６から読み出された画像が圧縮／伸長部１０３において伸長され、メモリ回路１０４を通じてビデオデコーダ１０７に供給される。以下、ビデオデコーダ１０７に供給された画像データは、液晶パネル駆動回路１０８を介して、ＬＣＤ２２に表示される。
【００２５】
なお、ＨＤＤ１０５およびメモリカード１０６との間のデータ（圧縮画像）の受け渡しには、図示しないが、記録メディアインタフェースが用いられる。また、ＨＤＤ１０５に換えて、例えば光ディスクが用いられてもよいことはいうまでもない。もちろん、容量の大きなメモリカードを主記録媒体とすることも可能である。
【００２６】
ＨＤＤ１０５またはメモリカード１０６に記録されている静止画、もしくは動画の画像データは、例えばパーソナルコンピュータ（ＰＣ）やビデオレコーダ等に代表される図示しない外部機器に転送可能である。なお、外部機器との間の転送には、例えばＵＳＢ（ユニバーサルシリアルバス）が利用可能である。もちろん、インタフェースとしては、周知のさまざまな規格、例えばＩＥＥＥ１３９４や、パラレルバスも利用可能である。
【００２７】
この場合、任意のインタフェースとメモリ回路１０４の間には、インタフェースコントローラ１０９が介在される。また、データの受け渡し（転送）には、ＬＡＮコントローラ１１０を通じて接続されるネットワーク（ＬＡＮ）が用いられてもよいことはいうまでもない。
【００２８】
ところで、記録媒体として容量の大きなＨＤＤ１０５を採用したことにより、静止画の場合の記録画像の枚数および動画における記録時間（タイトル数）が数１００〜数１０００にも及ぶことから、記録画像やタイトルの送りや戻しには、高速性が要求される。このため、ジョグダイアル２６とＯＫボタン２７により、多くの画像やタイトルの選択やさまざまなモードの設定が、ストレスなく処理可能である（多くの画像やタイトルを連続してサーチして特定する際に、ジョグダイアル２６のような操作性の高いスイッチが有益である）。
【００２９】
なお、ＯＫ（決定）ボタン２７は、ＣＰＵ１１１に、ボタン２７が押された（オン／オフ信号が入力された）情報を与える。ＣＰＵ１１１は、その情報（ボタン２７）から入力されるオン／オフ信号に基づいて、ジョグダイアル２６により選択されている画像やタイトルあるいはモードを確定し、再生あるいはモードの設定等の処理を実行する。
【００３０】
ジョグダイアル２６は、ＣＰＵ（主制御装置）１１１に、その回転角と回転スピードの情報を与える。ＣＰＵ１１１は、それらの情報から（次の）画像の表示スピード等を制御することが可能である。
【００３１】
また、ＣＰＵ１１１のファームウエアとして、あるいはメモリ回路１０４の一部に一体化され、もしくはメモリ回路１０４に接続された外部メモリとして、画像データの処理に利用される図示しないワークメモリ（ＲＡＭ，キャッシュと呼称されることもある）が、設けられることはいうまでもない。なお、キャッシュメモリとして、比較的大きな容量が与えられる場合には、ＨＤＤ１０５の記録領域の一部が割り当てられてもよい。
【００３２】
次に、図１および図２に示した電子カメラ装置におけるこの発明の特徴を説明する。
【００３３】
本提案は、ＣＣＤセンサ３１から出力された画像データをデジタル信号に変換した液晶パネル（ＬＣＤ）２２が表示可能な画像を、主電源がオンされた時点から最短の時間で、ＬＣＤ２２に表示させるものである。すなわち、主電源がオンされた時点から、記録装置であるＨＤＤ１０５の状態に関わらず、ＬＣＤ２２へ画像を表示することを特徴とする。
【００３４】
図３（ａ）に示すように、撮影装置（電子カメラ装置）１の電源が入れられた（ＬＣＤ２２が組み込まれたフレーム２１が開放されることで主電源スイッチ２４がオンされた）時、ＣＰＵ１１１、ＣＣＤセンサ３１および撮像レンズ１１の位置（ＨＰすなわちホームポジション）のチェック等の各種ハードウエアの初期化が実行される（Ｓ３０１）。
【００３５】
ＨＤＤ１０５が使用可能になった（記録動作可能に（正常に）起動された）かどうかを区別するためのフラグへ、使用不可、例えば［０］を設定する（Ｓ３０２）。
【００３６】
次に、「ＨＤＤ１０５を使用可能にするタスク」が、起動される（Ｓ３０３）。
【００３７】
続いて、あるいはステップＳ３０３と同時に「ＬＣＤ２２に画像を表示するタスク（液晶パネル駆動回路１０８により、ＬＣＤ２２に画像を表示させる起動するタスク）」が、起動される（Ｓ３０４）。
【００３８】
ステップＳ３０３とＳ３０４により「ＨＤＤ１０５を使用可能にするタスク」と「ＬＣＤ２２に画像を表示するタスク」とが、実質的に同時に動作する（２つのタスクが同時に実行される）ことになるが「ＨＤＤ１０５を使用可能にするタスク」の優先度を「ＬＣＤ２２に画像を表示するタスク」の優先度よりも低くすることで「ＬＣＤ２２に画像を表示するタスク」の休んでいる間（タイムシェアの僅かな時間的な隙間）に、ＨＤＤ１０５が使用可能になったかどうかを調査する処理を実行できる。
【００３９】
また、「ＬＣＤ２２に画像を表示するタスク」は、『撮影モード終了条件が成立』したかどうか（Ｓ３１２）をチェックした後、一定時間タスクを停止することで、より優先度が低いタスクを実行することができる。
【００４０】
ＨＤＤ１０５を使用可能にするタスクでは、図３（ｂ）に示すように、ＨＤＤ１０５の状態（例えば、記録領域の残量、回転数、システムプログラム領域からの正常なデータの読み込みの終了、およびそのプログラムに基づいた起動ルーチンの開始等）を読み（ステータスリードと称される，Ｓ３０５）、ＨＤＤ１０５が使用可能になるま繰り返す（Ｓ３０６）。
【００４１】
ＨＤＤ１０５が使用可能になった場合（Ｓ３０６−Ｙｅｓ）、ＨＤＤ１０５が使用可能になったかどうかを区別するフラグへ使用可能、例えば［１］を設定する。すなわち、前にステップＳ３０２で［０］がセットされたフラグが［０］から［１］に書き換えられる（Ｓ３０７）。
【００４２】
ＬＣＤ２２に画像を表示するタスクでは、図３（ｃ）に示すように、ＣＣＤセンサ３１から送られている画像を、液晶パネル駆動回路１０８によりＬＣＤ２２に表示し（Ｓ３０８）、その他の情報としてアイコンやテキストを、その画像に重ね合わせて表示する（Ｓ３０９）。このように、ＨＤＤ１０５の起動中に、撮像レンズ１１を介して、実際に取り込まれている画像を表示させることで、撮像レンズ１１を保護するための図示しない保護カバーの外し忘れ（一体型のシャッター式の場合の開き忘れ）等を確実に防止できる。
【００４３】
なお、ＨＤＤ１０５が使用可能かどうかを区別するフラグが［０］で、使用不可（起動中）である場合（Ｓ３１０−Ｎｏ）には、例えば図４（ａ）に示すように、ＬＣＤ２２の記録可能時間表示が表示される領域４０１や撮影可能枚数表示が表示される４０２を表示しない（ブランクとする）起動中表示とし、フラグが［１］になるまで、「撮影モードの起動が終了する『撮影モード終了条件が成立』したこと」をチェックする起動チェックが継続される（Ｓ３１２）。
【００４４】
一方、ＨＤＤ１０５が使用可能かどうかを区別するフラグが［１］で、使用可能（起動完了）を示している場合（Ｓ３１０−Ｙｅｓ）は、記録（録画）可能時間と撮影可能枚数を読み込み、例えば図４（ｂ）に示すようにＬＣＤ２２の記録可能時間が表示される領域４０１と撮影可能枚数表示が表示される領域４０２に、「録画可能時間」と「記録（済）可能枚数」を表示する（Ｓ３１１）。
【００４５】
なお、図４（ａ）および（ｂ）に示した使用可能（起動完了）の表示は、撮像装置１に予め設けられているアクセスランプや録画状態／一時停止であることを表示するＬＥＤ、もしくは現在画像データが記録されている記録媒体を示す識別用ＬＥＤ等の任意のランプやＬＥＤの点灯あるいは点滅により、または２以上の組み合わせにより表示（報知）可能である。
【００４６】
図５は、図３（ｃ）に示した「ＬＣＤに画像を表示するタスク」が実行されている間、すなわちＨＤＤの起動中である（ＨＤＤが使用不可状態にある）間に、録画ボタンがオンされた（録画開始信号が入力された）場合の電子カメラ装置の動作の一例を示す。
【００４７】
既に説明したように、ＨＤＤ１０５を用いる撮影装置（電子カメラ装置）１では、その起動中の待ち時間の間に、シャッターチャンスを逃す（損なう）虞を完全に除去することは、困難である。
【００４８】
このため、図３（ｃ）に示した「ＬＣＤ２２に画像を表示するタスク」が実行されている間すなわちＨＤＤ１０５の起動中である（ＨＤＤ１０５が使用不可状態にある）間に、録画ボタン２５（図１（ｂ）参照）が押された（録画ボタン２５は、１回押される毎に、「ボタンが押されたことを示すオン信号を出力する」）場合（Ｓ５０５−Ｙｅｓ）、現在の動作状態が「記録中」であるか否かが判断され（Ｓ５０６）、記録中である場合（Ｓ５０６−Ｙｅｓ）には、録画（記録）が停止される（Ｓ５０７）。
【００４９】
非記録中である場合（Ｓ５０６−Ｎｏ）には、ＨＤＤ１０５の起動が終了したか否か、すなわち「ＨＤＤ１０５を使用可能にするタスク」のフラグが［１］であるか否かがチェックされる（Ｓ５０８）。
【００５０】
ステップＳ５０８において、ＨＤＤ１０５が起動中である場合、すなわち「ＨＤＤ１０５を使用可能にするタスク」のフラグが［０］である場合（Ｓ５０８−Ｎｏ）には、記録先がＨＤＤ１０５から異なる記録媒体（本願では、メモリカード１０６）に変更される。すなわち、撮像レンズ１１により取り込まれる画像が記録される記録媒体が通常（デフォルト）設定であるＨＤＤ１０５から他の記録媒体であるメモリカード１０６に変更される（Ｓ５０９）。
【００５１】
次に、記録処理が開始され、撮像レンズ１１を介して取り込まれている画像のデータが一時的に、他の記録媒体すなわちメモリカード１０６に記録される（Ｓ５１０）。
【００５２】
続いて、『撮影モード終了条件が成立（ＨＤＤ起動終了）』したかどうか、がチェックされ（Ｓ３１２）、引き続き起動中である場合（Ｓ３１２−Ｎｏ）には、再び「ＨＤＤ１０５を使用可能にするタスク」のフラグが［１］であるか否かがチェックされる（Ｓ３１０）。
【００５３】
以下、ＨＤＤ１０５が使用可能かどうかを区別するフラグが［１］で、使用可能（起動完了）を示している場合（Ｓ３１０−Ｙｅｓ）は、記録（録画）可能時間と撮影可能枚数を読み込み、例えば図４（ｂ）に示すようにＬＣＤ２２の記録可能時間が表示される領域４０１と撮影可能枚数表示が表示される領域４０２に、「録画可能時間」と「記録（済）可能枚数」が表示され（Ｓ３１１）、一次的に、他の記録媒体に画像データが記録されているか否か（一時的に、他の記録媒体に記録されている画像データの有無）が、チェックされる（Ｓ５１２）。
【００５４】
ステップＳ５１２において、一次的に他の記録媒体（メモリカード）に記録されている画像データが有ることがチェックされた場合（Ｓ５１２−Ｙｅｓ）、メモリカードに記録されているデータが、メモリカード１０６からＨＤＤ１０５にコピーされ、メモリカード側のデータが消去される（データがＨＤＤに転送される，Ｓ５１３）。
【００５５】
ステップＳ５１３において、メモリカード１０６に一時的に記録されていたデータが、ＨＤＤ１０５にコピーされると、ステップＳ５０９において変更された記録先記録媒体がＨＤＤ１０５に戻される（Ｓ５１４）。
【００５６】
なお、録画中に録画ボタン２５が押された場合、記録を終了する（録画が停止される）ことはいうまでもない（Ｓ５０７）。
【００５７】
以上説明したように、この発明によれば、起動（初期化）に比較的時間のかかる主記録媒体（ＨＤＤ）の起動中に、画像データの記録が可能な別の記録媒体に、入力された画像データを記録することで、起動時の待ち時間が低減され、シャッターチャンスが失われる（損なわれる）ことが低減される。
【００５８】
また、システムプログラムの起動が終了した以降、撮像系を介して取り込まれた画像を表示モニタ（ＬＣＤ）に表示させることで、撮像系のレンズを保護するための保護カバー（一体型のシャッター式の場合の開き忘れ）等が確実に防止でき、シャッターチャンスが失われる（損なわれる）ことがさらに低減される。
【００５９】
さらに、システムプログラムの起動が終了した以降、撮像系を介して取り込まれた画像を表示モニタ（ＬＣＤ）に表示させることは、ユーザによる待ち時間（起動中）の操作性を高めるために有益である（軽快な操作が可能となる）。
【００６０】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。例えば、記録媒体としてテープ状の媒体を用いるビデオカメラであっても、そのまま摘要可能である。また、主記録媒体が容量の大きなメモリカードであって、付随する記録媒体が任意の外部記録媒体である、主として静止画の撮影（記録）のためのスチルカメラであってもよい。
【図面の簡単な説明】
【００６１】
【図１】この発明の実施の形態が適用可能な動画および静止画ならびに音声等が記録可能な電子カメラ装置（撮像装置）の一例を示す概略図。
【図２】図１に示した電子カメラ装置の制御ブロックの一例を説明する概略図。
【図３】図１および図２に示した電子カメラ装置の特徴的な動作の一例を説明するフローチャート。
【図４】図３に示したフローチャートに沿った起動中と起動終了を表示可能な画面表示の一例を示す概略図。
【図５】図３に示したフローチャートに沿った起動中における画像記録を可能とする制御の一例を示すフローチャート。
【符号の説明】
【００６２】
１…電子カメラ装置（撮影装置）、１１…撮像レンズ、２２…ＬＣＤ（液晶モニタ、画像表示部）、２４…主電源スイッチ、２５…録画ボタン（記録信号入力部）、２６…ジョグダイアル（設定選択部）、２７…決定ボタン（選択決定部）、３１…ＣＣＤセンサ（画像信号生成部）、１０１…アナログ−デジタル変換部（デジタル信号出力部）、１０２…カメラ信号処理回路（信号処理部、画像処理部）、１０３…圧縮／伸長部（圧縮画像処理部、画像処理部）、１０４…メモリ回路（画像表示制御部）、１０５…ＨＤＤ（ハードディスク装置、主記録媒体）、１０６…メモリカード（半導体メモリ、付随する取り出し可能な記録媒体）、１０７…ビデオデコーダ（画像表示制御部）、１０８…液晶パネル駆動回路（画像表示制御部）、１１１…ＣＰＵ（主制御部、信号処理部、画像処理部、画像表示制御部、記録媒体切り替え部）。
【図１】
2006287275.tif 000003
【図２】
2006287275.tif 000004
【図３】
2006287275.tif 000005
【図４】
2006287275.tif 000006
【図５】
2006287275.tif 000007